(57)【要約】  検出装置が通信機能を有さない環境変化検出システム、環境変化検出方法、及び環境変化検出プログラムを提供する。  環境変化検出システム１は、電源部３００と、検出範囲内における環境の状態を検出する検出部３１０と、検出範囲内における環境の変化を判定する判定部３２０と、判定部３２０の判定結果に応じた特徴を有する負荷電流を電源部３００に消費させる変調制御を行う電源負荷変調部３３０と、変調制御により変調された負荷電流を含む電流データを検知、測定するデータ検知部１００と、電流データをデジタル電力データに変換するデータ変換部１１０と、デジタル電力データから電源部３００の変調電流データを分離する分離部２１０と、分離部２１０が分離した変調電流データを解析することで環境の変化を特定する解析部２２０とを備える。
2015114735.tif 000002
【特許請求の範囲】
【請求項１】
電源部と、
検出範囲内における環境の状態を検出する検出部と、
前記検出部の検出結果に基づいて、前記検出範囲内における前記環境の変化を判定する判定部と、
前記判定部の判定結果に応じた特徴を有する負荷電流を前記電源部に消費させる変調制御を行う電源負荷変調部と、
前記変調制御により変調された前記負荷電流を含む電流データを検知するデータ検知部と、
前記データ検知部により検知された前記電流データをデジタル電力データに変換するデータ変換部と、
前記デジタル電力データから前記電源部の変調電流データを分離する分離部と、
前記分離部が分離した前記変調電流データを解析することで、前記検出範囲内における前記環境の変化を特定する解析部と
を備える環境変化検出システム。
【請求項２】
前記データ検知部が、複数の電気機器及び前記電源部からの電流及び電圧の電流データを検知し、
前記分離部が、前記デジタル電力データから、前記複数の電気機器及び前記電源部それぞれに対応する前記デジタル電力データ及び前記変調電流データを分離する請求項１に記載の環境変化検出システム。
【請求項３】
前記環境の状態が、前記検出範囲内における物体の移動の状態、振動の状態、温度変化の状態、湿度変化の状態、光量変化の状態、又は音量変化の状態のいずれかを含む請求項１又は２に記載の環境変化検出システム。
【請求項４】
前記解析部の解析結果を出力する出力部
を更に備える請求項１〜３のいずれか１項に記載の環境変化検出システム。
【請求項５】
前記判定部が、前記環境の変化として前記検出範囲内に生物が存在しているか否かを判定し、
前記解析部が、前記判定部において前記環境の変化として前記検出範囲内に前記生物が存在していると判定された場合、前記検出範囲内に前記生物が侵入したと特定する請求項１〜４のいずれか１項に記載の環境変化検出システム。
【請求項６】
検出部により検出範囲内における環境の状態を検出する検出段階と、
前記検出部の検出結果に基づいて、前記検出範囲内における前記環境の変化を判定する判定段階と、
前記判定段階における判定結果に応じた特徴を有する負荷電流を電源部に消費させる変調制御を行う電源負荷変調段階と、
前記変調制御により変調された前記負荷電流を含む電流データを検知するデータ検知段階と、
前記データ検知段階において検知された前記電流データをデジタル電力データに変換するデータ変換段階と、
前記デジタル電力データから前記電源部の前記変調電流データを分離する分離段階と、
前記分離段階において分離された前記変調電流データを解析することで、前記検出範囲内における前記環境の変化を特定する解析段階と
を備える環境変化検出方法。
【請求項７】
環境変化を検出する環境変化検出システム用の環境変化検出プログラムであって、
コンピューターに、
検出範囲内における環境の状態を検出する検出機能と、
前記検出機能における検出結果に基づいて、前記検出範囲内における前記環境の変化を判定する判定機能と、
前記判定機能における判定結果に応じた特徴を有する負荷電流を電源部に消費させる変調制御を行う電源負荷変調機能と、
前記変調制御により変調された前記負荷電流を含む電流データを検知するデータ検知機能と、
前記データ検知機能において検知された前記電流データをデジタル電力データに変換するデータ変換機能と、
前記デジタル電力データから前記電源部の前記変調電流データを分離する分離機能と、
前記分離機能において分離された前記変調電流データを解析することで、前記検出範囲内における前記環境の変化を特定する解析機能と
を実現させる環境変化検出プログラム。
【発明の詳細な説明】
【技術分野】
【０００１】
本発明は、環境変化検出システム、環境変化検出方法、及び環境変化検出プログラムに関する。特に本発明は、検知装置が情報通信機能を有さない環境変化検出システム、環境変化検出方法、及び環境変化検出プログラムに関する。
【背景技術】
【０００２】
従来、検出対象が所定の検知範囲内に存在するか否かを検出する検出装置と、検出装置で検出した結果を外部へ無線通信する通信装置とを有し、検出装置は、所定の検知範囲内の検出対象から発せられる赤外光を電気信号に変換して、この電気信号を検知信号として出力するセンサー部と、センサー部により出力される検知信号を監視するセンサー監視部と、センサー監視部により監視された結果である監視情報を通信装置へ送信する第１の通信部とを備え、通信装置は、第１の通信部により送信される監視情報を受信する第２の通信部と、第２の通信部により受信された監視情報を外部へ無線送信する第３の通信部とを備え、センサー監視部は、第３の通信部の送信に関する情報に基づいて検知信号を監視する監視システムが知られている（例えば、特許文献１参照。）。特許文献１に記載の監視システムによれば、通信装置による無線送信が行われても、当該通信装置による無線通信を原因とする誤反応を抑止しつつ、検出対象を監視することができる。
【先行技術文献】
【特許文献】
【０００３】
【特許文献１】特開２０１３−１９５０９４号公報
【発明の概要】
【発明が解決しようとする課題】
【０００４】
しかし、特許文献１に記載されているような監視システムにおいては、検出装置からの情報伝達を通信装置により実行しており、通信装置の複雑さや通信コストを要することから高コストである。【０００５】
したがって、本発明の目的は、検出装置が通信機能を有さない環境変化検出システム、環境変化検出方法、及び環境変化検出プログラムを提供することにある。
【課題を解決するための手段】
【０００６】
本発明は、上記目的を達成するため、電源部と、検出範囲内における環境の状態を検出する検出部と、検出部の検出結果に基づいて、検出範囲内における環境の変化を判定する判定部と、判定部の判定結果に応じた特徴を有する負荷電流を電源部に消費させる変調制御を行う電源負荷変調部と、変調制御により変調された負荷電流を含む電流データを検知するデータ検知部と、データ検知部により検知された電流データをデジタル電力データに変換するデータ変換部と、デジタル電力データから電源部の変調電流データを分離する分離部と、分離部が分離した変調電流データを解析することで、検出範囲内における環境の変化を特定する解析部とを備える環境変化検出システムが提供される。【０００７】
また、上記環境変化検出システムにおいて、データ検知部が、複数の電気機器及び電源部からの電流及び電圧の電流データを検知し、分離部が、デジタル電力データから、複数の電気機器及び電源部それぞれに対応するデジタル電力データ及び変調電流データを分離することもできる。【０００８】
また、上記環境変化検出システムにおいて、環境の状態が、検出範囲内における物体の移動の状態、振動の状態、温度変化の状態、湿度変化の状態、光量変化の状態、又は音量変化の状態のいずれかを含むこともできる。【０００９】
また、上記環境変化検出システムにおいて、解析部の解析結果を出力する出力部を更に備えることもできる。【００１０】
また、上記環境変化検出システムにおいて、判定部が、環境の変化として検出範囲内に生物が存在しているか否かを判定し、解析部が、判定部において環境の変化として検出範囲内に生物が存在していると判定された場合、検出範囲内に生物が侵入したと特定することもできる。【００１１】
また、本発明は、上記目的を達成するため、検出部により検出範囲内における環境の状態を検出する検出段階と、検出部の検出結果に基づいて、検出範囲内における環境の変化を判定する判定段階と、判定段階における判定結果に応じた特徴を有する負荷電流を電源部に消費させる変調制御を行う電源負荷変調段階と、変調制御により変調された負荷電流を含む電流データを検知するデータ検知段階と、データ検知段階において検知された電流データをデジタル電力データに変換するデータ変換段階と、デジタル電力データから電源部の変調電流データを分離する分離段階と、分離段階において分離された変調電流データを解析することで、検出範囲内における環境の変化を特定する解析段階とを備える環境変化検出方法が提供される。【００１２】
また、本発明は、上記目的を達成するため、環境変化を検出する環境変化検出システム用の環境変化検出プログラムであって、コンピューターに、検出範囲内における環境の状態を検出する検出機能と、検出機能における検出結果に基づいて、検出範囲内における環境の変化を判定する判定機能と、判定機能における判定結果に応じた特徴を有する負荷電流を電源部に消費させる変調制御を行う電源負荷変調機能と、変調制御により変調された負荷電流を含む電流データを検知するデータ検知機能と、データ検知機能において検知された電流データをデジタル電力データに変換するデータ変換機能と、デジタル電力データから電源部の変調電流データを分離する分離機能と、分離機能において分離された変調電流データを解析することで、検出範囲内における環境の変化を特定する解析機能とを実現させる環境変化検出プログラムが提供される。
【発明の効果】
【００１３】
本発明に係る環境変化検出システム、環境変化検出方法、及び環境変化検出プログラムによれば、検出装置が通信機能を有さない環境変化検出システム、環境変化検出方法、及び環境変化検出プログラムを提供できる。
【図面の簡単な説明】
【００１４】
【図１】本実施の形態に係る環境変化検出システムの概要図である。
【図２】本実施の形態に係る環境変化検出システムの機能構成ブロック図である。
【図３】本実施の形態に係る環境変化検出システムの処理フロー図である。
【図４】本実施の形態に係る環境変化検出システムのハードウェア構成図である。
【発明を実施するための形態】
【００１５】
［実施の形態］
（環境変化検出システム１の概要）
図１は、本実施の形態に係る環境変化検出システムの概要を示す。
【００１６】
本実施の形態に係る環境変化検出システム１は、センサーとしての検出部３１０を有する１つ又は複数の検出装置３０を備え、検出部３１０の検出結果に応じた特徴を有する負荷電流を検出装置３０の電源部に消費させ、その結果を処理ユニット２０において解析することで検出装置３０が設置されている周囲の環境の変化を検出するシステムである。環境変化検出システム１は、複数の電気機器（例えば、テレビ３や電気ポット３ａ等）の電流及び電圧並びに電力に関する情報を取得すると共に、検出装置３０からの電流及び電圧並びに電力に関する情報を取得する。ここで、環境の変化とは、検出部３１０の検出範囲内における物体の移動、振動変化、温度変化、湿度変化、光量変化、及び音量変化等のいずれか若しくは複数を含む。
【００１７】
具体的に、環境変化検出システム１は、分電盤５から電力が供給される複数の電気機器（例えば、テレビ３、電気ポット３ａ等）の電流及び電圧並びに電力に関する情報、及び検出装置３０の電流及び電圧並びに電力に関する情報を測定する測定ユニット１０と、通信網７を介して測定ユニット１０が測定した結果を示す情報を取得して、取得した情報を複数の電気機器及び検出装置３０それぞれに対応する情報に分離した後、分離した情報を解析することで検出部３１０の検出範囲内における環境の変化を特定する処理ユニット２０とを備える。また、環境変化検出システム１は、処理ユニット２０における解析結果を示す情報を通信端末９に供給することができる。これにより、通信端末９を有するユーザーは、検出装置３０が設置されている環境の変化を把握することができる。
【００１８】
なお、検出範囲とは、検出装置３０が設置されている環境の状態を検出部３１０によって検出できる範囲である。例えば、検出範囲は、検出装置３０が設置されている領域を含む領域であって、家屋、家屋内の所定の場所（例えば、部屋や倉庫等）、オフィス内、店舗内、工場内、又は屋外の領域等の所定の領域である。また、複数の電気機器は上記例に限られず、電力が供給される様々な家電製品を含む。そして、通信網７は、インターネット、携帯電話網、及び／又は有線若しくは無線ＬＡＮ等を含む。更に、通信端末９は、携帯電話、スマートフォン、タブレット端末、又はパーソナルコンピューター等を含む。また、処理ユニット２０は、近距離無線通信等を用いて測定ユニット１０が測定した結果を示す情報を直接取得してもよい。
【００１９】
本実施の形態に係る環境変化検出システム１によれば、検出部３１０の検出結果に応じた特徴を有する負荷電流が検出装置３０から出力され、処理ユニット２０がこの負荷電流の特徴を解析することで検出装置３０が設置された周囲の環境の変化を特定できる。これにより、環境変化検出システム１によれば、検出装置３０が通信機能を備えることを要さないので、検出装置３０を分電盤５に電気的に接続するだけで、検出装置３０の周囲の環境変化を把握できる。
【００２０】
（環境変化検出システム１の詳細）
図２は、本実施の形態に係る環境変化検出システムの機能構成ブロックの一例を示す。
【００２１】
環境変化検出システム１は、測定ユニット１０と処理ユニット２０と検出装置３０とを備える。測定ユニット１０は、複数の電気機器及び検出装置３０それぞれに供給される電流及び電圧並びに電力に関する情報、若しくはこれらから出力される電流及び電圧並びに電力に関する情報を分電盤５から検知及び／又は測定するデータ検知部１００と、データ検知部１００が検知した情報を予め定められた情報に変換するデータ変換部１１０と、データ変換部１１０において変換された情報を処理ユニット２０に供給する測定ユニット側通信部１２０とを有する。
【００２２】
処理ユニット２０は、外部との通信を実行する処理ユニット側通信部２００と、測定ユニット側通信部１２０より供給される情報から複数の電気機器及び検出装置３０それぞれに対応する情報を分離する分離部２１０と、分離部２１０において分離された情報を解析する解析部２２０と、解析部２２０の解析結果を出力する出力部２３０とを有する。
【００２３】
検出装置３０は、検出装置３０の各構成要素に電力を供給する電源部３００と、検出装置３０が設置されている周囲の環境の状態を検出する検出部３１０と、検出部３１０の検出結果に基づいて周囲の環境の変化に対応した判定信号を出力する判定部３２０と、判定部３２０の判定信号に応じた波形を有する負荷電流波形を電源部３００に出力させる電源負荷変調部３３０とを有する。
【００２４】
（電源部３００）
電源部３００は、少なくとも検出部３１０と判定部３２０と電源負荷変調部３３０とに電力を供給する。また、電源部３００は、電源負荷変調部３３０に制御され、所定の特徴として、一例として所定の負荷電流波形を有する負荷電流を消費する。
【００２５】
（検出部３１０）
検出部３１０は、検出範囲内における環境の状態を検出する。検出部３１０は、検出結果を示す情報を判定部３２０に供給する。ここで、環境の状態とは、検出部３１０の検出範囲内における物体の移動の状態、振動の状態、温度若しくは温度変化の状態、湿度若しくは湿度変化の状態、光量若しくは光量変化の状態、及び音量若しくは音量変化の状態等のいずれか若しくは複数を含む。そして、検出部３１０は、検出範囲内における環境の状態や環境内に存在する物体の状態を検出するセンサーであって、例えば、赤外線センサー、温度センサー、湿度センサー、音量センサー、臭気センサー、モーションセンサー等である。
【００２６】
（判定部３２０）
判定部３２０は、検出部３１０の検出結果に基づいて、検出範囲内における環境の変化を判定する。判定部３２０は、検出結果に基づいて判定した判定結果に対応する判定信号を電源負荷変調部３３０に供給する。例えば、判定部３２０は、複数の検出結果を示す情報のそれぞれに固有の判定信号を予め対応づけて格納する判定信号格納部を含むことができる。判定部３２０は、検出部３１０から受け取った検出結果を示す情報に対応する判定信号を判定信号格納部から取得して、取得した判定信号を電源負荷変調部３３０に供給する。
【００２７】
一例として、判定部３２０は、検出部３１０が検出範囲内における物体の状態を検出するセンサーである場合であって、検出部３１０において物体の移動が検知された場合、検出範囲内に物体が浸入したこと若しくは物体が取り除かれたこと等を判定する。例えば、判定部３２０は、環境の変化として、検出範囲内に人物等の生物が存在若しくは侵入したか否かを判定する。判定部３２０は、検出範囲内に生物が存在しているか否かを判定し、２値データとして判定結果としての判定信号を出力する（例えば、一方の判定信号に生物の存在を対応づけ、他方の判定信号に生物が存在しないことを対応づけることができる。）。
【００２８】
また、判定部３２０は、検出部３１０において検出される環境の状態に応じ、様々な判定基準を用いて様々な判定をすることができる。例えば、判定部３２０は、検出部３１０が温度を検出する場合、環境温度の変化に応じた判定をする（例えば、判定部３２０は、予め複数の温度範囲を区切り、検出された温度がいずれの温度範囲の温度であるかを判定し、その判定結果に対応する判定信号を出力することもできる。）。更に、判定部３２０は、検出部３１０が音量を検出する場合、音量の変化に応じた判定をすることもできる。
【００２９】
（電源負荷変調部３３０）
電源負荷変調部３３０は、判定部３２０の判定結果に応じた特徴を有する負荷電流を電源部３００に消費させる変調制御を実行する。一例として、電源負荷変調部３３０は、検出部３１０の種類ごとに、判定部３２０が出力する複数の判定信号それぞれに予め定められた変調信号の情報を対応づけたデータベースを含むことができる。すなわち、当該データベースは、複数の検出部３１０を一意に識別する検出部識別子に対応づけて、複数の判定信号の情報それぞれと、複数の判定信号の情報それぞれに予め対応づけられた変調信号情報とを格納する。そして、電源負荷変調部３３０は、判定部３２０の判定信号に対応する変調信号情報を当該データベースから取得して、変調信号を生成する。電源負荷変調部３３０は変調信号を電源部３００に供給する。電源部３００は、電源負荷変調部３３０から変調信号を受け取った場合、受け取った変調信号に応じた特徴を有する負荷電流を消費する。
【００３０】
（データ検知部１００）
データ検知部１００は、複数の電気機器及び検出装置３０の電源部３００の電流及び電圧並びに電力の電流データや電圧データ、若しくは電力データ等を検知及び／又は測定する。データ検知部１００は、電源部３００から供給される負荷電流であって、変調制御により制御された負荷電流を含む電流データを検知及び／又は測定する。データ検知部１００は、例えば、住宅等の建造物に設けられる分電盤５の主幹側であるアンペアメーター部分に設置される。データ検知部１００は、予め定められた電圧の範囲内の電圧の波形データ、及び予め定められた電流若しくは予め定められた電流の範囲内の電流の波形データを検知及び／又は測定する。データ検知部１００は、検知した電流データをデータ変換部１１０に供給する。
【００３１】
（データ変換部１１０）
データ変換部１１０は、データ検知部１００により検知された電流データをデジタル電力データに変換する。データ変換部１１０は、変換して得られるデジタル電力データを測定ユニット側通信部１２０に供給する。
【００３２】
（測定ユニット側通信部１２０、処理ユニット側通信部２００）
測定ユニット側通信部１２０は、処理ユニット２０との間で通信を実行する。また、処理ユニット側通信部２００は、測定ユニット１０及び通信端末９との間で通信を実行する。測定ユニット側通信部１２０と処理ユニット側通信部２００との間は、通信網７を介して情報の送受信ができるように接続されている。そして、測定ユニット側通信部１２０は、データ変換部１１０から受け取ったデジタル電力データを、処理ユニット側通信部２００に供給する。処理ユニット側通信部２００は、当該デジタル電力データを取得する。そして、処理ユニット側通信部２００は、取得したデジタル電力データを分離部２１０に供給する。
【００３３】
（分離部２１０）
分離部２１０は、デジタル電力データから電源部３００の変調電流データを分離する。すなわち、分離部２１０は、処理ユニット側通信部２００が取得したデジタル電力データから、複数の電気機器及び電源部３００それぞれに対応するデジタル電力データ及び変調電流データを分離する。分離部２１０は、一例として、Ｆａｃｔｏｒｉａｌ  ＨＭＭ（Ｈｉｄｄｅｎ  Ｍａｒｋｏｖ  Ｍｏｄｅｌ）を用いてデジタル電力データを複数の電気機器及び電源部３００それぞれに対応するデータとしてのデジタル電力データと変調電流データに分離する。分離部２１０は、分離して得られる電源部３００の変調電流データを解析部２２０に供給する。
【００３４】
（解析部２２０）
解析部２２０は、分離部２１０が分離した電源部３００の変調電流データを解析することで、検出部３１０の検出範囲内における環境の変化を特定する。解析部２２０は、変調電流データを解析し、変調電流データに変調されている変調内容に基づいて、当該変調内容に対応する判定信号を特定する。そして、解析部２２０は、特定した判定信号に対応する環境の変化を特定する。例えば、解析部２２０は、判定部３２０において環境の変化として検出範囲内に生物が存在していると判定された場合、検出範囲内に生物が侵入したと特定する。また、解析部２２０は、解析結果を示す情報を所定の図や所定のグラフ等に加工することもできる。
【００３５】
具体的に、解析部２２０は、変調電流データに変調されている変調内容である変調信号を解析し、変調信号に対応する判定信号を識別することで、識別された判定信号に対応する環境の変化を特定する。一例として、解析部２２０は、変調信号情報を一意に識別する変調信号識別子に対応づけて、判定信号情報と、当該判定信号情報に予め対応づけられた環境の変化を示す情報とを格納する環境変化情報格納部を含むことができる。解析部２２０は、変調電流データを解析して得られる変調信号に対応する環境の変化を示す情報を環境変化情報格納部から取得することで、具体的な環境の変化を特定する。
【００３６】
例えば、検出部３１０が温度センサーである場合、解析部２２０は、環境温度の変化に対応した判定信号に基づいて環境の変化を特定する（例えば、火災の発生や、所定温度に保たれている室温が変化したことに基づいて、当該部屋の出入り口や窓等が空いていること等を特定する。）。また、解析部２２０は、検出部３１０が音量センサーである場合、所定波長範囲の音量変化に対応した判定信号に基づいて環境の変化を特定することで、検出装置３０が設置されている場所に不審者が侵入したこと等を特定することもできる。解析部２２０は、解析結果を示す情報を出力部２３０に供給する。
【００３７】
（出力部２３０）
出力部２３０は、解析部２２０の解析結果を出力する。出力部２３０は、処理ユニット２０から解析結果を示す情報を出力することができる。また、出力部２３０は、解析結果を示す情報を処理ユニット側通信部２００に供給する。処理ユニット側通信部２００は、通信網７を介して出力部２３０から受け取った解析結果を示す情報を通信端末９に供給する。
【００３８】
（環境変化検出システムの処理の流れの概要）
図３は、本発明の実施の形態に係る環境変化検出システムの処理の流れの一例を示す。
【００３９】
まず、検出装置３０の電源部３００が電力の供給源（例えば、コンセント）に接続される。電源部３００は、検出部３１０、判定部３２０、及び電源負荷変調部３３０に電力を供給する。そして、検出部３１０は、検出範囲内における環境の状態の測定を開始する。検出部３１０は、検出範囲内における環境の状態、及び／又は環境の状態の変化を検出する（ステップ１０。以下、ステップを「Ｓ」と表す。）。検出部３１０は、検出結果を示す情報を判定部３２０に供給する。
【００４０】
判定部３２０は、検出結果を示す情報に基づいて、検出範囲内における環境の変化を判定する（Ｓ１５）。判定部３２０は、判定結果を示す情報（すなわち、判定信号）を電源負荷変調部３３０に供給する。電源負荷変調部３３０は、判定信号に応じた特徴を有する負荷電流を電源部３００に消費させる変調制御を実行する（Ｓ２０）。電源負荷変調部３３０は、一例として、変調信号を用い、変調信号により電源部３００を制御して、電源部３００から変調制御された負荷電流を消費させる（Ｓ２５）。
【００４１】
データ検知部１００は、電源部３００において消費される負荷電流を検知、測定する。具体的に、データ検知部１００は、電源部３００において消費される負荷電流であって、変調信号により変調された負荷電流である電流データを検知、測定する。データ検知部１００は、検知、測定した電流データをデータ変換部１１０に供給する。データ変換部１１０は、データ検知部１００から受け取った電流データをデジタル電力データに変換する。データ変換部１１０は、デジタル電力データを測定ユニット側通信部１２０に供給する。測定ユニット側通信部１２０は、データ変換部１１０から受け取ったデジタル電力データを処理ユニット側通信部２００に供給する。
【００４２】
処理ユニット側通信部２００は、測定ユニット１０から受け取ったデジタル電力データを分離部２１０に供給する。分離部２１０は、デジタル電力データから電源部３００の変調電流データを分離する（Ｓ３０）。分離部２１０は、分離した変調電流データを解析部２２０に供給する。解析部２２０は、分離部２１０から受け取った変調電流データを解析することで、検出範囲内における環境の変化を特定する（Ｓ３５）。解析部２２０は、解析結果を示す情報を出力部２３０に供給する。出力部２３０は、解析結果を示す情報を処理ユニット側通信部２００及び通信網７を介して通信端末９に供給する。
【００４３】
図４は、本発明の実施の形態に係る環境変化検出システムのハードウェア構成の一例を示す。
【００４４】
本実施の形態に係る環境変化検出システム１は、ＣＰＵ１５００と、グラフィックコントローラ１５２０と、Ｒａｎｄｏｍ  Ａｃｃｅｓｓ  Ｍｅｍｏｒｙ（ＲＡＭ）、Ｒｅａｄ−Ｏｎｌｙ  Ｍｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。
【００４５】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００４６】
また、チップセット１５１０は、記憶装置１５４０と、読込み／書込み装置１５４５と、通信インターフェース１５５０とを接続する。記憶装置１５４０は、環境変化検出システム１のＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバーから所定のプログラムを取得して、取得したプログラムを記憶装置１５４０に格納する。
【００４７】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、キーボード、タブレット、マウス等の入力装置１５６０は、所定のインターフェースを介してチップセット１５１０と接続する。
【００４８】
記憶装置１５４０に格納される環境変化検出システム１用の環境変化検出プログラムは、インターネット等の通信ネットワーク、又は磁気記録媒体、光学記録媒体等の記録媒体を介して記憶装置１５４０に提供される。そして、記憶装置１５４０に格納された環境変化検出システム１用の環境変化検出プログラムは、ＣＰＵ１５００により実行される。
【００４９】
本実施の形態に係る環境変化検出システム１により実行される環境変化検出プログラムは、ＣＰＵ１５００に働きかけて、環境変化検出システム１を、図１から図３において説明したデータ検知部１００、データ変換部１１０、測定ユニット側通信部１２０、処理ユニット側通信部２００、分離部２１０、解析部２２０、出力部２３０、電源部３００、検出部３１０、判定部３２０、及び電源負荷変調部３３０として機能させる。
【００５０】
（実施の形態の効果）
本実施の形態に係る環境変化検出システム１は、検出部３１０において検出された環境の変化に対応する波形を有する負荷電流を検出装置３０から出力させ、この負荷電流を解析することで環境の変化を特定するので、検出装置３０に通信機能を備えさせることを要さない。これにより、本実施の形態に係る環境変化検出システム１によれば、環境の変化を遠隔から把握することが容易にできると共に、低コストで当該システムを提供できる。
【００５１】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。
【符号の説明】
【００５２】
１  環境変化検出システム
３  テレビ
３ａ  電気ポット
５  分電盤
７  通信網
９  通信端末
１０  測定ユニット
２０  処理ユニット
３０  検出装置
１００  データ検知部
１１０  データ変換部
１２０  測定ユニット側通信部
２００  処理ユニット側通信部
２１０  分離部
２２０  解析部
２３０  出力部
３００  電源部
３１０  検出部
３２０  判定部
３３０  電源負荷変調部
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【図１】
2015114735.tif 000003
【図２】
2015114735.tif 000004
【図３】
2015114735.tif 000005
【図４】
2015114735.tif 000006
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
電源部と、
検出範囲内における環境の状態を検出する検出部と、
前記検出部の検出結果に基づいて、前記検出範囲内における前記環境の変化を判定する判定部と、
前記判定部の判定結果に応じた特徴を有する負荷電流を前記電源部に消費させる変調制御を行う電源負荷変調部と、
前記変調制御により変調された前記負荷電流を含む電流データを検知するデータ検知部と、
前記データ検知部により検知された前記電流データをデジタル電力データに変換するデータ変換部と、
前記デジタル電力データから前記電源部の変調電流データを分離する分離部と、
前記分離部が分離した前記変調電流データを解析することで、前記検出範囲内における前記環境の変化を特定する解析部とを備え、
前記解析部は、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部を含み、
前記解析部は、前記変調電流データを解析して得られる前記変調信号に対応する前記環境の変化を示す情報を、前記環境変化情報格納部から取得することによって、前記検出範囲内における前記環境の変化を特定する環境変化検出システム。
【請求項２】
前記データ検知部が、複数の電気機器及び前記電源部からの電流及び電圧の電流データを検知し、
前記分離部が、前記デジタル電力データから、前記複数の電気機器及び前記電源部それぞれに対応する前記デジタル電力データ及び前記変調電流データを分離する請求項１に記載の環境変化検出システム。
【請求項３】
前記環境の状態が、前記検出範囲内における物体の移動の状態、振動の状態、温度変化の状態、湿度変化の状態、光量変化の状態、又は音量変化の状態のいずれかを含む請求項１又は２に記載の環境変化検出システム。
【請求項４】
前記解析部の解析結果を出力する出力部を更に備える請求項１〜３のいずれか１項に記載の環境変化検出システム。
【請求項５】
前記判定部が、前記環境の変化として前記検出範囲内に生物が存在しているか否かを判定し、
前記解析部が、前記判定部において前記環境の変化として前記検出範囲内に前記生物が存在していると判定された場合、前記検出範囲内に前記生物が侵入したと特定する請求項１〜４のいずれか１項に記載の環境変化検出システム。
【請求項６】
検出部により検出範囲内における環境の状態を検出する検出段階と、
前記検出部の検出結果に基づいて、前記検出範囲内における前記環境の変化を判定する判定段階と、
前記判定段階における判定結果に応じた特徴を有する負荷電流を電源部に消費させる変調制御を行う電源負荷変調段階と、
前記変調制御により変調された前記負荷電流を含む電流データを検知するデータ検知段階と、
前記データ検知段階において検知された前記電流データをデジタル電力データに変換するデータ変換段階と、
前記デジタル電力データから前記電源部の前記変調電流データを分離する分離段階と、
前記分離段階において分離された前記変調電流データを解析することで、前記検出範囲内における前記環境の変化を特定する解析段階とを含み、
前記解析段階においては、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部から、前記変調電流データを解析して得られる前記変調信号に対応する前記環境の変化を示す情報を取得することによって、前記検出範囲内における前記環境の変化を特定する環境変化検出方法。
【請求項７】
環境変化を検出する環境変化検出システム用の環境変化検出プログラムであって、
コンピューターに、
検出範囲内における環境の状態を検出する検出機能と、
前記検出機能における検出結果に基づいて、前記検出範囲内における前記環境の変化を判定する判定機能と、
前記判定機能における判定結果に応じた特徴を有する負荷電流を電源部に消費させる変調制御を行う電源負荷変調機能と、
前記変調制御により変調された前記負荷電流を含む電流データを検知するデータ検知機能と、
前記データ検知機能において検知された前記電流データをデジタル電力データに変換するデータ変換機能と、
前記デジタル電力データから前記電源部の前記変調電流データを分離する分離機能と、
前記分離機能において分離された前記変調電流データを解析することで、前記検出範囲内における前記環境の変化を特定する解析機能とを実現させ、
前記解析機能は、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部から、前記変調電流データを解析して得られる前記変調信号に対応する前記環境の変化を示す情報を取得することによって、前記検出範囲内における前記環境の変化を特定する環境変化検出プログラム。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
電源部と、
検出範囲内における環境の状態を検出する検出部と、
前記検出部の検出結果に基づいて、前記検出範囲内における前記環境の変化を判定する判定部と、
前記判定部の判定結果に応じた特徴を有する負荷電流を前記電源部に消費させる変調制御を行う電源負荷変調部と、
前記変調制御により変調された前記負荷電流を含む電流データを検知するデータ検知部と、
前記データ検知部により検知された前記電流データをデジタル電力データに変換するデータ変換部と、
前記デジタル電力データから前記電源部の変調電流データを分離する分離部と、
前記分離部が分離した前記変調電流データを解析することで、前記検出範囲内における前記環境の変化を特定する解析部とを備え、
前記解析部は、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部を含み、
前記解析部は、前記変調電流データを解析して得られる前記変調信号に対応する前記環境の変化を示す情報を、前記環境変化情報格納部から取得することによって、前記検出範囲内における前記環境の変化を特定する環境変化検出システム。
【請求項２】
前記データ検知部が、複数の電気機器及び前記電源部からの電流及び電圧の電流データを検知し、
前記分離部が、前記デジタル電力データから、前記複数の電気機器及び前記電源部それぞれに対応する前記デジタル電力データ及び前記変調電流データを分離する請求項１に記載の環境変化検出システム。
【請求項３】
前記環境の状態が、前記検出範囲内における物体の移動の状態、振動の状態、温度変化の状態、湿度変化の状態、光量変化の状態、又は音量変化の状態のいずれかを含む請求項１又は２に記載の環境変化検出システム。
【請求項４】
前記解析部の解析結果を出力する出力部を更に備える請求項１〜３のいずれか１項に記載の環境変化検出システム。
【請求項５】
前記判定部が、前記環境の変化として前記検出範囲内に生物が存在しているか否かを判定し、
前記解析部が、前記判定部において前記環境の変化として前記検出範囲内に前記生物が存在していると判定された場合、前記検出範囲内に前記生物が侵入したと特定する請求項１〜４のいずれか１項に記載の環境変化検出システム。
【請求項６】
検出部により検出範囲内における環境の状態を検出する検出段階と、
前記検出部の検出結果に基づいて、前記検出範囲内における前記環境の変化を判定する判定段階と、
前記判定段階における判定結果に応じた特徴を有する負荷電流を電源部に消費させる変調制御を行う電源負荷変調段階と、
前記変調制御により変調された前記負荷電流を含む電流データを検知するデータ検知段階と、
前記データ検知段階において検知された前記電流データをデジタル電力データに変換するデータ変換段階と、
前記デジタル電力データから前記電源部の前記変調電流データを分離する分離段階と、
前記分離段階において分離された前記変調電流データを解析することで、前記検出範囲内における前記環境の変化を特定する解析段階とを含み、
前記解析段階においては、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部から、前記変調電流データを解析して得られる前記変調信号に対応する前記環境の変化を示す情報を取得することによって、前記検出範囲内における前記環境の変化を特定する環境変化検出方法。
【請求項７】
環境変化を検出する環境変化検出システム用の環境変化検出プログラムであって、
コンピューターに、
検出範囲内における環境の状態を検出する検出機能と、
前記検出機能における検出結果に基づいて、前記検出範囲内における前記環境の変化を判定する判定機能と、
前記判定機能における判定結果に応じた特徴を有する負荷電流を電源部に消費させる変調制御を行う電源負荷変調機能と、
前記変調制御により変調された前記負荷電流を含む電流データを検知するデータ検知機能と、
前記データ検知機能において検知された前記電流データをデジタル電力データに変換するデータ変換機能と、
前記デジタル電力データから前記電源部の前記変調電流データを分離する分離機能と、
前記分離機能において分離された前記変調電流データを解析することで、前記検出範囲内における前記環境の変化を特定する解析機能とを実現させ、
前記解析機能は、前記変調電流データに変調されている変調内容である変調信号の情報を一意に識別する変調信号識別子に対応づけて、当該変調信号に対応する判定信号の情報と、当該判定信号の情報に予め対応づけられた環境の変化を示す情報とを格納する環境変化情報格納部から、前記変調電流データを解析して得られる前記変調信号に対応する前記環境の変化を示す情報を取得することによって、前記検出範囲内における前記環境の変化を特定する環境変化検出プログラム。
【国際調査報告】
2015114735.tif 000007
2015114735.tif 000008